(57)【特許請求の範囲】
【請求項１】
メインフレーム、
前記メインフレームに設けられているサドル、
前記サドルの後方で前記メインフレームに回転可能に設けられている後輪、
前記サドルの前方で前記メインフレームに旋回可能に設けられている旋回軸、
前記旋回軸に回転可能に設けられている前輪、
前記サドルの後方で前記メインフレームに固定されている支持パイプ、
前記支持パイプ内に回転可能に挿通されている回転伝達パイプ、
下端部が前記回転伝達パイプに挿入されているとともに、前記回転伝達パイプへの挿入量が調整可能になっており、前記回転伝達パイプと一体に回転される回転シャフト、
前記回転シャフトの上端部に設けられ、前記回転シャフトの前記回転伝達パイプへの挿入位置を固定する締付具、
前記回転シャフトの側面に固定されているとともに、前記サドルの後方に配置されており、前記回転シャフトを回転させる押手棒、及び
前記回転伝達パイプの回転を前記旋回軸に伝達する伝達手段
を備え、
前記締付具は、
引上ボルト、及び
前記引上ボルトを締めることにより引き上げられ、前記回転シャフトを前記回転伝達パイプに固定するうす
を有していることを特徴とする押手棒付き自転車。
【請求項２】
前記伝達手段は、前記回転伝達パイプの下端部に設けられた第１のプーリと、前記旋回軸に設けられた第２のプーリと、前記第１及び第２のプーリ間に設けられたプッシュプルワイヤとを有し、
前記メインフレームの前記旋回軸の近傍には、カバー取付部が設けられており、
前記カバー取付部には、前記第２のプーリの上部及び側面部を覆うＵ字形のカバーが片持ち状態で取り付けられていることを特徴とする請求項１記載の押手棒付き自転車。
【発明の詳細な説明】
【技術分野】
【０００１】
この発明は、ハンドルとは別に前輪を旋回させるための押手棒がサドルの後方に設けられている押手棒付き自転車に関するものである。
【背景技術】
【０００２】
従来の幼児用乗物では、サドルの後方に回動操作可能な補助操作棒が設けられている。補助操作棒の回動は、２本のプッシュプルワイヤを介してハンドル軸に伝達される（例えば、特許文献１参照）。
【先行技術文献】
【特許文献】
【０００３】
【特許文献１】特開２００４−３３１０７１号公報
【発明の概要】
【発明が解決しようとする課題】
【０００４】
上記のような従来の幼児用乗物では、補助操作棒の長さ調整ができないため、補助操作棒を操作する保護者の身長によっては操作し難い場合があり、その場合、特に長時間操作すると疲れてしまう。また、補助操作棒を伸縮可能にしようとすると、構造が複雑になりコストが高くなってしまう。
【０００５】
この発明は、上記のような課題を解決するためになされたものであり、簡単な構造により押手棒の高さを調整可能とすることができる押手棒付き自転車を得ることを目的とする。
【課題を解決するための手段】
【０００６】
この発明に係る押手棒付き自転車は、メインフレーム、メインフレームに設けられているサドル、サドルの後方でメインフレームに回転可能に設けられている後輪、サドルの前方でメインフレームに旋回可能に設けられている旋回軸、旋回軸に回転可能に設けられている前輪、サドルの後方でメインフレームに固定されている支持パイプ、支持パイプ内に回転可能に挿通されている回転伝達パイプ、下端部が回転伝達パイプに挿入されているとともに、回転伝達パイプへの挿入量が調整可能になっており、回転伝達パイプと一体に回転される回転シャフト、回転シャフトの上端部に設けられ、回転シャフトの回転伝達パイプへの挿入位置を固定する締付具、回転シャフトの側面に固定されているとともに、サドルの後方に配置されており、回転シャフトを回転させる押手棒、及び回転伝達パイプの回転を旋回軸に伝達する伝達手段を備えている。
【発明の効果】
【０００７】
この発明の押手棒付き自転車は、押手棒を、回転シャフトの軸線の延長上ではなく、回転シャフトの側面に固定したので、回転シャフトの上端部に締付具を配置することができ、これにより、ハンドル高さ調整用の締付具と同様の簡単な構成の締付具で回転シャフトの回転伝達パイプへの挿入量を調整し押手棒の高さを調整可能とすることができる。
【図面の簡単な説明】
【０００８】
【図１】この発明の実施の形態１による押手棒付き自転車を示す側面図である。
【図２】図１のメインフレームの前端部付近を斜め上方から見た斜視図である。
【図３】図１のメインフレームの前端部付近を斜め下方から見た斜視図である。
【図４】図１のメインフレームの要部を示す斜視図である。
【図５】図２のカバーを示す斜視図である。
【発明を実施するための形態】
【０００９】
以下、この発明を実施するための形態について、図面を参照して説明する。
実施の形態１．
図１はこの発明の実施の形態１による押手棒付き自転車を示す側面図である。図において、メインフレーム１の前後方向（図１の左右方向）の中間部の上部には、利用者が座るサドル２が設けられている。メインフレーム１の後端部には、後輪３が回転可能に設けられている。後輪３は、メインフレーム１に設けられたクランク軸（図示せず）の回転がチェーン（図示せず）等により伝達されて回転される。また、クランク軸は、利用者により回転される。
【００１０】
メインフレーム１の前端部には、ヘッドチューブ４が固定されている。ヘッドチューブ４には、旋回軸としてのフォーク５が挿通されている。フォーク５は、ヘッドチューブ４に挿通された操縦管５ａと、操縦管５ａの下端部に設けられた一対のブレード５ｂとを有している。
【００１１】
ヘッドチューブ４と操縦管５ａとの間には、軸受（図示せず）が設けられており、操縦管５ａは、その軸線を中心として回転可能（旋回可能）になっている。フォーク５の上端部には、ハンドルステム６が挿入されている。
【００１２】
ハンドルステム６のフォーク５への挿入量は、調整可能になっている。ハンドルステム６の上端部には、ハンドルステム６のフォーク５への挿入位置を固定するハンドル用締付具（図示せず）が設けられている。また、ハンドルステム６の上端部には、利用者によって把持され操作されるハンドル７が設けられている。ブレード５ｂの下端部間には、前輪８が回転可能に設けられている。
【００１３】
メインフレーム１のサドル２と後輪３との間の部分には、直管状の支持パイプ９が固定されている。支持パイプ９は、上端部が下端部よりも後方に位置するように若干傾斜されている。支持パイプ９内には、直管状の回転伝達パイプ１０が挿通されている。支持パイプ９と回転伝達パイプ１０との間には、軸受（図示せず）が設けられており、回転伝達パイプ１０は、その軸線を中心として回転可能になっている。
【００１４】
回転伝達パイプ１０には、直管状の回転シャフト１１の下端部が挿入されている。回転シャフト１１は、回転伝達パイプ１０と同軸に設けられており、回転伝達パイプ１０と一体に回転される。また、回転シャフト１１の回転伝達パイプ１０への挿入量は、調整可能になっている。
【００１５】
回転シャフト１１の上端部には、回転シャフト１１の回転伝達パイプ１０への挿入位置を固定する締付具１２が設けられている。締付具１２による締め付けを解除することにより、回転シャフト１１は回転伝達パイプ１０に対して軸方向へ摺動可能となる。
【００１６】
なお、締付具１２の構造は、ハンドル用締付具と同様である。即ち、締付具１２としては、市販の自転車におけるハンドル高さ調整用の締付具と同様の構造を適用することができる。このような構造としては、例えば、六角レンチで引上ボルトを締めることにより、楔形又はコーン形のうすが引き上げられて回転伝達パイプ１０の内壁に固定されるタイプのものがある。
【００１７】
また、この例では、ヘッドチューブ４をそのまま、又はヘッドチューブ４の長さを変更して、支持パイプ９として利用している。さらに、フォーク５の操縦管５ａをそのまま、又は操縦管５ａの長さを変更して、回転伝達パイプ１０として利用している。さらにまた、ハンドルステム６をそのまま、又はハンドルステム６の長さを変更して、回転シャフト１１として利用している。
【００１８】
回転シャフト１１の側面には、押手棒１３の基端部が固定されている。押手棒１３は、サドル２の後方に配置されている。また、押手棒１３は、後輪３の上方に配置されている。さらに、押手棒１３は、回転シャフト１１の途中から分岐されるように設けられている。鉛直方向に対する押手棒１３の傾斜角は、回転シャフト１１の傾斜角度よりも大きくなっている。
【００１９】
押手棒１３の先端部には、利用者の保護者等が掴むための把手１４が設けられている。
回転シャフト１１は、押手棒１３を操作することにより回転される。
【００２０】
回転伝達パイプ１０の下端部には、円形の第１のプーリ１５が固定されている。操縦管５ａには、円形の第２のプーリ１６が固定されている。第１及び第２のプーリ１５，１６間には、第２のプーリ１６を第１のプーリ１５に連動して回転させるプッシュプルワイヤ１７が設けられている。回転伝達パイプ１０の回転をフォーク５に伝達する伝達手段は、第１及び第２のプーリ１５，１６とプッシュプルワイヤ１７とを有している。
【００２１】
図２は図１のメインフレーム１の前端部付近を斜め上方から見た斜視図、図３は図１のメインフレーム１の前端部付近を斜め下方から見た斜視図である。図１では省略したが、メインフレーム１には、第２のプーリ１６の上部及び側面部を覆うカバー１８が取り付けられている。また、この例では、第１のプーリ１５にはカバーを設けていない。
【００２２】
図４は図１のメインフレーム１の要部を示す斜視図、図５は図２のカバー１８を示す斜視図である。メインフレーム１の前端部近傍には、カバー取付部１ａが設けられている。カバー１８は、Ｕ字形であり、その両端部がカバー取付部１ａにねじ止めされている。即ち、カバー１８は、カバー取付部１ａに片持ち状態で取り付けられている。
【００２３】
このような押手棒付き自転車では、押手棒１３を、回転シャフト１１の軸線の延長上ではなく、回転シャフト１１の側面に固定したので、回転シャフト１１の上端部に締付具１２を配置することができ、これにより、ハンドル高さ調整用の締付具と同様の簡単な構成で回転シャフト１１の回転伝達パイプ１０への挿入量を調整し押手棒１３の高さを調整可能とすることができる。特に、押手棒１３の支持部の部品とハンドルステム６の支持部の部品とを共通化することにより、部品の種類を低減し、コストの増加を抑えつつ押手棒１３の高さを調整可能とすることができる。
【００２４】
また、Ｕ字形のカバー１８が片持ち状態でメインフレーム１に取り付けられているので、プーリとカバーとをユニット化する構造に比べて、構造が簡単で、組付性及びメンテナンス性に優れている。
【００２５】
なお、上記の例では二輪車を示したが、この発明は、三輪車、四輪車、及び補助輪を追加した二輪車等にも適用できる。
【符号の説明】
【００２６】
１  メインフレーム、１ａ  カバー取付部、２  サドル、３  後輪、５  フォーク（旋回軸）、８  前輪、９  支持パイプ、１０  回転伝達パイプ、１１  回転シャフト、１２  締付具、１３  押手棒、１５  第１のプーリ、１６  第２のプーリ、１７  プッシュプルワイヤ、１８  カバー。
【図１】
0005547944.tif 000002
【図２】
0005547944.tif 000003
【図３】
0005547944.tif 000004
【図４】
0005547944.tif 000005
【図５】
0005547944.tif 000006